(57)【要約】【課題】薬剤散布後における農作物への散布状況を確認するべく、圃場内外における薬剤散布の分布を光分析技術によって判定するための、効果的な散布薬剤濃度検出方法を提供する。【解決手段】散布された薬剤を液体（溶剤）中に吸収して捕捉（収集）し、この溶剤を赤外光によりスペクトル分析したデータと、既知の濃度の薬剤を前記溶剤に溶融した液体から予め取得した赤外光によるスペクトル分析したデータとをコンピュータ１０に入力して比較演算し、散布薬剤濃度を測定する。【選択図】図２
2009133768.tif 000002
【特許請求の範囲】
【請求項１】
散布された薬剤を液体中に吸収して捕捉し、
この液体を赤外光によりスペクトル分析したデータと、
既知の濃度の薬剤を前記液体に溶融した液体から予め取得した赤外光によるスペクトル分析したデータとをコンピュータに入力して比較演算し、
散布薬剤濃度を測定する、散布薬剤濃度検出方法。
【請求項２】
前記赤外光のスペクトルはＡＴＲ法で得る請求項１に記載の散布薬剤濃度検出方法。
【請求項３】
散布された薬剤を捕捉するための前記液体は水である請求項１または請求項２に記載の散布薬剤濃度検出方法。
【請求項４】
散布された薬剤を捕捉するための前記液体は有機溶剤である請求項１または請求項２に記載の散布薬剤濃度検出方法。
【発明の詳細な説明】
【技術分野】
【０００１】
本発明は、圃場に散布された農薬や液肥、或いは、家屋や飼育設備等に散布された消毒液等による薬剤の散布状況を推定するための技術に関する。より詳しくは、スペクトル分析によって予め得られた検量線に基づいて、散布された前記薬剤濃度を、溶融される溶剤から検出する、濃度検出方法に係る技術に関する。
【背景技術】
【０００２】
近年、食品衛生法の改正に伴い、農作物に対する厳密な残留農薬基準値が設けられたことから、農作物の残留農薬に対する注目が集まっており、化学肥料や農薬等からなる薬剤に関する農作物への適切な散布、或いは、出荷時における農作物の残留農薬値に対する正確な測定等が求められている。この農作物に残留する薬剤の分析方法は赤外分光光度計を用いることで可能となっている（例えば、特許文献１参照。）。また、家畜や人に対してウイルスや細菌等による病気が感染しないように、畜舎やその周囲を消毒することが行われているが、過度の薬剤散布は逆に人体に悪影響を及ぼす結果となる。
【０００３】
しかし、このような化学肥料や農薬等からなる薬剤の散布時には、風などの影響を受けて散布対象地ではない場所に前記薬剤が飛散する、いわゆるドリフトが発生し、薬剤の効能が不足するため該薬剤を追加散布したり、或いは逆に、他の散布対象地となる場所から薬剤が飛散してきて農作物に散布し、該農作物の残留農薬値が基準値を超える場合がある。
【０００４】
このような状況において、薬剤散布時の散布量やその分布、ドリフト判定等の散布状況の確認は、非常に重要な課題となっており、従来から薬剤の散布時、および、散布後における、薬剤散布量（薬剤濃度）の散布状況の確認方法として、作業者による目視、或いは、感水紙による確認方法がとられていた。
【特許文献１】特開平８−１７０９４１号公報
【発明の開示】
【発明が解決しようとする課題】
【０００５】
しかし、作業者の目視による確認方法では、正確な薬剤の散布状況を判定することは困難であり、各個人における判定結果にばらつきが生じやすく、正確な薬剤の散布状況が判定できないばかりか、確認作業に手間がかかっていた。
また、感水紙を用いた確認方法では、薬剤散布量（薬剤濃度）の薬剤散布データを数値化することが困難であった。さらに、薬剤散布後において残留農薬基準値を超過しているか否かの判断基準は、作業者等の経験則に基づくものであり、確実性に欠けていた。
【０００６】
加えて、感水紙を用いた確認方法では薬剤だけでなく、水も薬剤と判断されてしまうため、薬剤水溶液のいわゆる「溶けむら」に対応できなかったり、雨風等の自然条件を受けて該感水紙の設置角度、設置位置等を変更せざるを得ず、測定精度が落ちたりするという問題点もあった。
【０００７】
このような状況を改善するべく、光分析技術を用いた薬剤の散布状況の判定手法が知られている。前記手法によれば、薬剤濃度を測定することで、そこに含まれる薬剤の散布量を定量的に把握することができ、精度の高い薬剤の散布状況を判定することができる。
【０００８】
しかし、前記判定手法は測定手段としては高い精度を保証し得るものの、圃場に載置する板部材に附着した散布後の薬剤を、直接測定対象としているため、事実上、正確な判定結果を得ることが困難であった。即ち、板部材に附着した薬剤の一滴の濃度は略同じであるため、附着斑点の一つは測定できても、附着した程度までは定量することはできなかった。
【０００９】
本発明は、係る問題点を鑑みてなされたものであり、解決しようとする問題は、薬剤散布後における薬剤の散布状況を確認するべく、圃場内外等における薬剤散布を光分析技術によって容易に判定できる、散布薬剤濃度検出方法を提供することである。
【課題を解決するための手段】
【００１０】
本発明の解決しようとする課題は以上の如くであり、次にこの課題を解決するための手段を説明する。
【００１１】
即ち、請求項１においては、散布された薬剤を液体中に吸収して捕捉し、この液体を赤外光によりスペクトル分析したデータと、既知の濃度の薬剤を前記液体に溶融した液体から予め取得した赤外光によるスペクトル分析したデータとをコンピュータに入力して比較演算し、散布薬剤濃度を測定するものである。
【００１２】
請求項２においては、前記赤外光のスペクトルはＡＴＲ法で得るものである。
【００１３】
請求項３においては、散布された薬剤を捕捉するための前記液体は水とするものである。
【００１４】
請求項４においては、散布された薬剤を捕捉するための前記液体は有機溶剤とするものである。
【発明の効果】
【００１５】
本発明の効果として、以下に示すような効果を奏する。
【００１６】
請求項１においては、散布された薬剤は液体に溶けた状態で採取することができるため、後に赤外分光光度計で分析する際に、測定対象とする薬剤を均一に取出すことができ、成分も容易に検出することができる。また、実際に農作物に散布する薬剤と同程度の薬剤を収集することが可能となり、正確な農作物への薬剤の散布状況を把握することができる。
【００１７】
請求項２においては、正確な薬剤の散布量を検出することができる。
【００１８】
請求項３においては、溶媒としての液体を水とすることで、安価で容易に得ることができる。また、捕集容器内部の洗浄も容易にでき、衛生的である。
【００１９】
請求項４においては、溶媒としての液体を有機溶剤とすることで、捕捉（収集）した薬剤が固まりとなって浮遊したり沈殿したりすることもなく、該薬剤を確実に溶媒に溶融することができ、薬剤濃度の検出誤差が発生しにくく、正確な前記薬剤の散布量を検出することができる。
【発明を実施するための最良の形態】
【００２０】
次に、発明の実施の形態を説明する。
図１は本発明の一実施例に係る分析装置の全体的な構成を示したブロック図、図２は捕集箱の回収から散布農薬の濃度判定までの一連の流れを示すフローチャート、図３は散布農薬の濃度判定に用いられる検量線を示すグラフである。また、図４は農薬散布後の測定時を示す模式図、図５は農薬散布時の捕集箱の設置例を示す平面図である。
【００２１】
［分析装置１］
まず、本実施例に用いる分析装置１の構成について図１を用いて説明する。
分析装置１は、フーリエ変換赤外分光光度計（ＦＴ−ＩＲ）を用いた測定機器であって、その測定方法はＡＴＲ法（Ａｔｔｅｎｕａｔｅｄ  Ｔｏｔａｌ  Ｒｅｆｌｅｃｔｉｏｎ、全反射測定法）を適用するものである。ここで、ＡＴＲ法とはＡＴＲプリズムと呼ばれる媒体を介して、測定対象物の表面で全反射する反射光を測定することにより、該測定対象物の赤外吸収スペクトルを得る方法であり、検出された赤外吸収スペクトルを定量的、或いは、定性的に分析することで、薬剤散布量（薬剤濃度）を検出するものである。
【００２２】
即ち、分析装置１は内部に設けられた光源２によって照射された赤外光を、干渉計３を介してＡＴＲ測定装置４へと導き、該ＡＴＲ測定装置４内において測定対象物に照射した後、その反射光を検出器６によって検出する装置である。
【００２３】
ＡＴＲ測定装置４は測定対象物である液体（溶剤）を注入したＡＴＲプリズムや、複数の反射鏡等から構成されており、干渉計３を介して前記ＡＴＲ測定装置４の内部に導かれた赤外光は、その後、反射鏡によってＡＴＲプリズムの一端部に入射され、該ＡＴＲプリズムにて全反射を繰り返す。そして、前記全反射を繰り返すことで赤外光の一部のスペクトルは前記溶剤に溶融する薬剤に一部吸収され、ＡＴＲプリズムの外部に抜け出した後、再び反射鏡によって屈折されて、ＡＴＲ測定装置４の外部へと照射される。
【００２４】
このように、ＡＴＲプリズムに照射された赤外光は、溶剤に溶融する薬剤の種類に応じて吸収されるスペクトルの波長が異なり、かつ、薬剤の濃度に応じて該スペクトルの吸収量も異なるため、ＡＴＲプリズムの外部に抜け出した赤外光を測定することで、溶剤に溶融する薬剤の種類、および、濃度を把握することができるのである。
【００２５】
検出器６によって検出された赤外光の反射光はＡ／Ｄ変換器７によってデジタル信号へと変換され、分析装置１に接続された制御手段（コンピュータ１０）に出力される。そして、前記コンピュータ１０に備わる演算部１１によって、デジタル信号に対するフーリエ変換処理等の演算処理が行われ、薬剤の濃度が予測演算結果として表示部１３に出力される。
【００２６】
ここで、フーリエ変換処理等の演算処理は本実施例に示すように、演算部１１によって実行されることに限定されず、例えば、分析装置１に内蔵する演算手段によって実行されるものであっても良い。
【００２７】
［定量分析方法］
上述のとおり、Ａ／Ｄ変換器７によってデジタル信号に変換された赤外光の反射光は、分析装置１に接続された前記コンピュータ１０によって分析される。即ち、コンピュータ１０に入力された前記デジタル信号は計測スペクトル（以下吸光度と示す）にフーリエ変換され、所定の条件下で演算部１１によって定量分析される。
【００２８】
コンピュータ１０には測定対象となる薬剤の質量（濃度）を予測算出する検量式を予め記憶させておく。前記検量式は予め試験等により標準試料（薬剤の成分）毎に吸光度と濃度との関係を表す検量線を求めておくものであり、言い換えれば、既知の質量の薬剤を予め溶解した溶剤に対して吸光度を測定して検量線を得て、薬剤の質量（濃度）との関係式（検量式）を導き記憶手段１２に記憶しておくものである。
【００２９】
図３に示すように、検量線とは複数の前記標準試料について、分析装置１によって予め赤外光を測定しておき、その結果得られた吸光度と、これに関連する前記標準試料の濃度との関係をグラフ上に示した時の直線であり、本発明においては、前記検量線と溶剤の吸光度を比較考慮することで、該溶剤の薬剤濃度を求めることとしている。尚、本実施例における検量線は直線によって定義されているが、これに限定されるものではなく、薬剤の性質等条件に応じて、曲線等によって定義しても良い。
【００３０】
そして、薬剤濃度が未知である溶剤の薬剤濃度を分析装置１によって測定した場合には、記憶手段１２より検量線のデータが演算部１１に一旦呼び出され、測定された吸光度が前記検量線の直線上にプロットされることで、前記溶剤の薬剤濃度が容易に算出される。
【００３１】
つまり、図３において、測定された溶剤の吸光度がＡ１であった場合、これに対応する直線上のポイントＡを特定することで、自動的に対応する薬剤濃度としてＡ２が定まり、精度の高い薬剤濃度の予測結果を即座に得ることができるのである。
【００３２】
このように、前記分析装置１により溶剤の薬剤濃度を測定する際には、既知の濃度の薬剤が溶融した同種の溶剤から、予め取得した赤外光によるスペクトル分析したデータ（吸光度）と、散布後の溶剤をスペクトル分析して得たデータ（吸光度）を、コンピュータ１０により比較演算することで、散布後の溶剤に溶融した薬剤の成分を特定し、それぞれの薬剤の成分濃度について前記検量式を用いて算出し、単位面積当たりの薬剤質量を予測算出して測定値とし、記憶手段１２に記憶すると伴に、後述の表示部１３に前記予測算出した測定値を測定結果として表示するように構成している。
【００３３】
［記憶手段１２］
記憶手段１２はコンピュータ１０に備えられる磁気ディスク等の記憶装置に記憶されたデータベースであって、予め分析装置１によって測定された、複数の前記標準試料についての吸光度に基づく検量線（薬剤の濃度との関係式）が、検量式として記憶されているものである。
【００３４】
即ち、記憶手段１２には溶剤に溶融する薬剤の種類に応じて複数の検量式が蓄積されており、該検量式とあわせて、これら薬剤の種類に応じた個別の判定を可能とする検索パラメータも記憶されている。
【００３５】
そして、分析装置１によって検出された薬剤濃度が未知の溶剤に関する吸光度と、記憶手段１２に記憶されている検量式に関する情報との間で、検索パラメータを適宜照合し、適用する検量式に関する情報を個別具体的に判別して、溶剤に溶融する薬剤の濃度を算出するのである。
【００３６】
この記憶手段１２を用いた方法により、該記憶手段１２に記憶されている薬剤に対する薬剤の成分の特定、および、濃度算出を実行することが可能となり、信頼性の高い薬剤濃度の算出結果を得ることができる。
【００３７】
ここで、前記記憶手段１２は外部の記憶媒体等によって、他の薬剤に関する検量式のデータを更新したり、或いは、記憶可能としたりしておくと好適である。また、記憶手段１２自体も、本実施例のようにコンピュータ１０内に備えられるものに限定するものではなく、他の薬剤に関する検量線のデータが更新可能に記憶される持ち運び可能な記憶媒体であっても良い。そして、新しい検量式のデータが作成された際には該記憶媒体の記憶内容を更新し、検量式のデータを演算部１１のメモリ等に記憶する構成であっても良い。
【００３８】
［表示部１３］
演算部１１による演算結果は、コンピュータ１０に備わる表示部１３に表示される。詳しくは、分析装置１によって検出された薬剤の種類、および、その濃度、濃度レベルが表示部１３に表示される。
【００３９】
前記濃度レベルは作業者によって予め定められた薬剤の濃度に関する許容値であり、たとえば、図３に示すように、本実施例における分析装置１では薬剤の濃度について規定値ａ１、および、規定値ａ２なる値を予め設定しておき、算出された薬剤の濃度が規定値ａ１以上、かつ、規定値ａ２以下の範囲にある場合にのみ「正常」と判断し、それ以外ならば「異常」と判断するようにして、計測された薬剤の濃度がどの濃度レベルに値するかを判定し、その結果を表示部１３によって表示する構成としている。
【００４０】
そして、この測定結果である算出された薬剤の濃度が適正範囲内（正常）か、不足している（異常）か、適正範囲を越えている（異常）か、をコンピュータ１０で判断し、その判断結果も表示部１３で表示する。また、複数の採取したデータ（測定結果）や、それぞれの捕集場所に関するデータ等や、薬剤散布時期、散布薬剤濃度、薬剤散布時の風向、風速等のデータを併せてコンピュータ１０の記憶手段１２に記憶しておくことで、今後の散布時に、ドリフト防止や散布方法等に役立てることもでき、さらに、出荷時の薬剤散布履歴の証明など、所謂、トレーサビリティに役立てることができる。
【００４１】
［薬剤濃度の検出方法］
次に、本発明に係る散布薬剤濃度検出方法を用いた薬剤濃度の具体的検出方法について、農薬または液肥を散布した場合を、図４、および、図５を用いて説明する。
本発明は主として圃場に散布される農薬や液肥等の薬剤について、農作物への散布状況を判定するためのものであるが、これに限定されるものではなく、例えば、散布対象圃場以外の地域や特定場所への前記薬剤の飛散状況、即ち、ドリフトの判定等に用いることも可能である。
【００４２】
まず、図４、図５に示すように、複数の捕集容器１６・１６・・・を薬剤の散布対象となる圃場（散布対象圃場５１）内外の適所に設置する。次に、無人ヘリコプター５３、または、ブームスプレヤー等の散布装置、または、人手により薬剤を散布する。
【００４３】
薬剤の散布後、つまり、完全に薬剤が農作物に行き渡り、空中に浮遊する薬剤がなくなった後に、全ての捕集容器１６・１６・・・を回収し、分析装置１やコンピュータ１０等が搭載された車両５４、または、検査機関に持ち込む。そして、回収された捕集容器１６・１６・・・に貯溜された溶剤において、分析に必要な所定の量を各々の捕集容器１６・１６・・・から取出し、分析装置１を用いて測定する。
【００４４】
こうして、単位面積当たりの散布された薬剤の質量を予測算出して散布された薬剤濃度の測定結果を得て、散布対象圃場５１の薬剤散布状況（実際に農作物に散布された薬剤の散布量が適量であるかどうか）を判定することができる。
【００４５】
ここで、本発明においては散布された薬剤を捕捉（収集）するための前記液体（溶剤）は水を用いるため、容易に安価に溶剤を手に入れることができる。また、各捕集容器１６内部の洗浄も容易にでき、衛生的である。
【００４６】
尚、前記溶剤として用いられる液体は本実施例では水が用いられるが、この場合、純水を使用するのが望ましい。しかし、薬剤の種類によっては水に溶けない場合もあり、このような場合は有機溶剤、例えば、アセトン等を使用する。
【００４７】
つまり、散布された薬剤を収集するための前記溶剤はアセトン等からなる有機溶剤とすることで、収集した薬剤が固まりとなって浮遊したり沈殿したりすることもなく、該薬剤を確実に溶媒に溶融することができ、薬剤濃度の検出誤差が発生しにくく、正確な前記薬剤の散布量を検出することができる。
【００４８】
次に、分析装置１による具体的な薬剤濃度の検出方法について、図２を用いて説明する。
まず、作業者は散布された薬剤濃度の検出を行う前に、測定対象となる薬剤の検量線を予め作成しておく必要がある。
【００４９】
即ち、測定対象とする薬剤の種類に応じて、異なった複数の既知の濃度からなる溶剤（標準試料）を予め作成し（ステップＳ１０１）、これら複数の標準試料を分析装置１によって実際に分析し、各々の濃度に対する吸光度を測定する（ステップＳ１０２）。
【００５０】
そして、用意された全ての標準試料について吸光度が得られるまで、分析装置１による分析は繰り返され（ステップＳ１０３）、その後、複数の得られた吸光度を基にして、検量式が作成される（ステップＳ１０４）。尚、作成された検量式については、上述のとおり、一旦記憶手段１２に蓄積される（ステップＳ１０５）。
【００５１】
このようにして作成された検量式に基づき、圃場に散布された薬剤の濃度が算出される。即ち、薬剤の散布対象圃場５１への散布作業の終了後に、作業者は該散布対象圃場５１に点在して設置した捕集容器１６・１６・・・を回収する（Ｓ１１１）。次に、薬剤濃度の検出における前処理として、回収し終えた複数の捕集容器１６・１６・・・から散布された薬剤が溶融した溶剤を取出して、十分に攪拌する（ステップＳ１１２）。
【００５２】
その後、分析装置１を用いて回収した溶剤の濃度を個別に分析し、各々の吸光度が測定され（ステップＳ１１３）、コンピュータ１０の演算部１１に備えられた記憶部に一旦記憶される。尚、この際、各溶剤が散布対象圃場５１のどの場所で回収されたものかを示す場所情報についても、前記吸光度と伴に、各々記憶部に記憶される。
【００５３】
即ち、前記複数の捕集容器１６・１６・・・には、設置場所に関する情報が書き込まれたＩＤタグが各々設けられており、分析装置１によって溶剤の濃度を分析する前に、コンピュータ１０に備えられるスキャナー等の読取手段２０によって前記場所情報を読み取ることで、容易に前記記憶部に記憶されるようになっている。
【００５４】
吸光度が算出されると、測定対象とする薬剤に対応した検量式のデータが記憶手段１２より演算部１１へと呼び出され（ステップＳ１１５）、前記検量式によって作成された検量線を用いて、薬剤の濃度が算出される（ステップＳ１１６）。
【００５５】
ここで、該当する検量線のデータが記憶手段１２に存在しない場合には、「算出不能」等の文字がコンピュータ１０に備わる表示部１３に表示され、演算処理が一時中断される。従って、この場合、作業者は回収した溶剤の濃度の分析作業を一旦終了し、まず、上述した検量式の作成作業（ステップＳ１０２〜ステップＳ１０５）を行わなければならない（ステップＳ１１４）。
【００５６】
尚、回収した溶剤の濃度の分析作業を一旦終了する場合、それまでに記憶部に記憶された吸光度等のデータは記憶手段１２に一時記憶されることとなるため、再び前記溶剤の濃度の分析作業を開始する場合には、改めて全ての溶剤を分析する必要もない。
【００５７】
検量式によって薬剤の濃度が算出されると、算出された濃度が規定範囲内に収まるか否かの判定が行われる。即ち、検量式のデータには予め作業者によって上限、および、下限に関する規定値が設定されるようになっており、例えば、図３に示すように、上限、および、下限の規定値を各々規定値ａ１、規定値ａ２と設けられている場合には、薬剤の濃度が算出されると、まず、算出された濃度が規定値ａ１を越えるか否かの判定がなされ（ステップＳ１１７）、その後、規定値ａ１を越える場合には、規定値ａ２を越えることがないかどうかの判定がなされ（ステップＳ１１８）、算出された濃度が規定値ａ１以上、規定値ａ２以下の場合には「正常」と判定され、それ以外は「異常」と判定される。
【００５８】
そして、算出された薬剤の濃度が規定値ａ１以上、規定値ａ２以下の「正常」な範囲に収まる場合には「正常」の表示が（ステップＳ１１９）、収まらない場合には「異常」の表示が（ステップＳ１２０）、コンピュータ１０に備わる表示部１３に表示される。尚、この際、分析装置１によって検出された薬剤の種類、および、その濃度、濃度レベルも同時に表示部１３に表示される。
【００５９】
このように、散布された薬剤を液体（溶剤）中に吸収して捕捉（収集）し、この溶剤を赤外光によりスペクトル分析したデータと、既知の濃度の薬剤を前記溶剤に溶融した液体から予め取得した赤外光によるスペクトル分析したデータと、をコンピュータ１０に入力して比較演算して散布薬剤濃度を測定するため、散布された薬剤は溶剤に溶けた状態で採取することができる。このため、赤外分光光度計（分析装置１）で分析する際に、測定対象とする薬剤を均一に取出すことができ、成分も容易に検出することができる。また、実際に農作物に散布する薬剤と同程度の薬剤を収集することが可能となり、正確な農作物への薬剤の散布状況を把握することができる。
【００６０】
また、前記赤外光のスペクトルはＡＴＲ法で得ることにより、正確な薬剤の散布量を検出することができる。
【００６１】
一方、薬剤を収集する複数の捕集容器１６・１６・・・を該薬剤の散布対象圃場５１だけでなく、該散布対象圃場５１の周囲における複数の散布非対象圃場５２・５２・・・にも設置することで、薬剤散布時のドリフト状況を検知することも可能である。
【００６２】
具体的には、薬剤の散布対象圃場５１に近接する散布非対象圃場５２・５２・・・や畦、或いは、農道などにも、薬剤の散布対象圃場５１の端部から所定距離離れた位置に捕集容器１６・１６・・・を散布対象圃場５１への設置と同時に設置しておく。尚、この時設置した複数の捕集容器１６・１６・・・には、各々の設置場所に関する情報をＩＤタグに書き込んでおく。
【００６３】
そして、薬剤が散布された後、これら複数の捕集容器１６・１６・・・を回収し、該捕集容器１６・１６・・・内の溶剤を前記方法にて測定することで、薬剤の散布対象圃場５１に設置した捕集容器１６・１６・・・からは単位面積当たりの薬剤の量が適正であるかどうか判断できる。この結果から、薬剤の散布量が不足していたり、多過ぎた場合などには、次回の散布作業時に散布装置の噴出量を調節したり、薬剤自体の希釈量を変更したり、薬剤の散布量が不足する場合には不足場所に追加散布することができる。
【００６４】
また、薬剤の散布非対象圃場５２・５２・・・に設置した捕集容器１６・１６・・・からはドリフト量を検出することができ、この結果から、風速に対して風上側のどの位置まで散布可能であるか、どれだけ離れた位置までは許容範囲であるか等を判断することができる。
【図面の簡単な説明】
【００６５】
【図１】本発明の一実施例に係る分析装置の全体的な構成を示したブロック図。
【図２】捕集箱の回収から散布農薬の濃度判定までの一連の流れを示すフローチャート。
【図３】散布農薬の濃度判定に用いられる検量線を示すグラフ。
【図４】農薬散布後の測定時を示す模式図。
【図５】農薬散布時の捕集箱の設置例を示す平面図。
【符号の説明】
【００６６】
１    分析装置
１０  コンピュータ
１２  記憶手段
１３  表示部
１６  捕集容器
【図１】
2009133768.tif 000003
【図２】
2009133768.tif 000004
【図３】
2009133768.tif 000005
【図４】
2009133768.tif 000006
【図５】
2009133768.tif 000007